(57)【要約】【課題】合成樹脂製の内枠体の後面の一側寄り部分に対するヒンジの取り付けを容易化する。【解決手段】合成樹脂製の内枠体４０の後面の一側寄り部分に機構盤２００が開閉可能に支持された遊技機であって、内枠体４０の後面の一側寄り部分には、少なくとも２つのヒンジ部１８４、１８７が上下方向に所定間隔を隔てて設けられ、ヒンジ部１８４、１８７によって機構盤２００が開閉可能に支持されている。【選択図】　　　　図１４
2004065937.tif 000002
【特許請求の範囲】
【請求項１】
合成樹脂製の内枠体の後面の一側寄り部分に機構盤が開閉可能に支持された遊技機であって、
前記内枠体の後面の一側寄り部分には、少なくとも２つのヒンジ部が上下方向に所定間隔を隔てて設けられ、
前記ヒンジ部によって前記機構盤が開閉可能に支持されていることを特徴とする遊技機。
【発明の詳細な説明】
【０００１】
【発明の属する技術分野】
この発明は、球（主としてパチンコ球）を使用して遊技を行う遊技機、例えば、パチンコ機のような弾球遊技機とも呼ばれている遊技機やパチンコ球を使用してスロットマシン遊技のような遊技を行う遊技機に関する。
【０００２】
【従来の技術】
この種の遊技機において、外枠体の前側に内枠体（前枠、前面枠等と呼ばれることもある）が開閉可能に装着され、その内枠体の後面の一側寄り部分に、球タンク、タンクレール、球払出装置等が設置される機構盤が開閉可能に支持された構造のものが知られている。
また、内枠体が合成樹脂材によって形成されたものがある。また、合成樹脂製の内枠体の後面の一側寄りに上下２つの金属製のヒンジ部材がビスによって上下方向に所定間隔を隔てて取り付けられ、その上下のヒンジ部材によっ機構盤が開閉可能に支持された構造のものが知られている（例えば、特許文献１参照）。
【０００３】
【特許文献１】
特開２００２−２７６３７９（第２ー５頁、図４ー５）
【０００４】
【発明が解決しようとする課題】
ところで、合成樹脂製の内枠体の後面の一側寄りにおいて、２つの金属製のヒンジ部材をビス等によって上下方向に所定間隔を隔てて取り付ける構造のものにおいては、２つの金属製のヒンジ部材を、同一ヒンジ中心線上に位置合わせしかつ上下方向にも所定間隔を隔ててビスによって取り付けなければならず、２つの金属製のヒンジ部材の取り付けに多くの手間を必要としていた。
また、内枠体の後面の一側寄りにビスによって取り付けられた２つの金属製のヒンジ部材によって機構盤が開閉可能に支持された状態において、機構盤の荷重がヒンジ部材のビス及びそのビスがねじ込まれる合成樹脂製の内枠体の部分に集中して作用する。このため、ビスがねじ込まれる合成樹脂製の内枠体の部分を例えば肉厚を高めることで補強する必要がある。
【０００５】
この発明の目的は、前記問題点に鑑み、上下方向に長尺の１つの金属製補強部材によって合成樹脂製の内枠体の後面の一側寄り部分を効率よく補強するとともに、ヒンジの取り付けを容易化することができる遊技機を提供することである。
【０００６】
【課題を解決するための手段】
前記目的を達成するために、手段１の発明に係る遊技機は、請求項１に記載のとおりの構成、
「外枠体に合成樹脂製の内枠体が開閉可能に装着され、前記内枠体の後面の一側寄り部分に機構盤が開閉可能に支持された遊技機であって、
前記内枠体の後面の一側寄り部分には、その上下方向に沿って長尺でかつ金属製の補強部材が装着され、
前記補強部材には、少なくとも２つのヒンジ部が上下方向に所定間隔を隔てて一体に形成され、
前記ヒンジ部によって前記機構盤が開閉可能に支持されていることを特徴とする遊技機。」
を要旨とする。
したがって、合成樹脂製の内枠体の後面の一側寄り部分に上下方向に長尺の金属製の補強部材（すなわち、合成樹脂材に比べて剛性の高い補強部材）が装着されることによって、当該内枠体の後面の一側寄り部分が良好に補強される。
また、金属製の補強部材には、上下方向に所定間隔を隔てて少なくとも２つのヒンジ部が一体に形成されている。このため、内枠体の後面の一側寄り部分に専用のヒンジ部材を同一ヒンジ中心線上に位置合わせしかつ上下方向にも所定間隔を隔ててビスによって取り付ける手間を省くことができる。
【０００７】
手段２の発明に係る遊技機は、手段１に記載の遊技機であって、内枠体には遊技盤が装着される遊技盤装着枠部が突出状に形成される一方、補強部材は、前記内枠体に沿う根元部と前記遊技盤装着枠部の一側枠部に沿う側壁部とを備えて横断面略Ｌ字状に形成されている。
したがって、金属製の補強部材が横断面略Ｌ字状に形成されることによって、補強部材自身の強度（剛性）が増大されるばかりでなく、内枠体、特に、遊技盤装着枠部の一側枠部（すなわち機構盤に対するヒンジ側枠部）が一層強固に補強される。
【０００８】
手段３の発明に係る遊技機は、手段２に記載の遊技機であって、遊技盤装着枠部の少なくとも一側枠部は、横方向の複数の横リブを有してリブ構造に形成され、補強部材は、前記一側枠部のリブ構造部を覆うようにして装着されている。
したがって、遊技盤装着枠部の少なくとも一側枠部（すなわち機構盤に対するヒンジ側枠部）は、横方向の複数の横リブによって効率よく補強される。
しかも、その一側枠部のリブ構造部を覆うようにして補強部材が装着されるため、機構盤の荷重を、少なくとも２つのヒンジ部、補強部材及び内枠体の一側枠部においてそれぞれ良好に受けることができる。このため、機構盤の荷重によって補強部材及び内枠体の一側枠部が不測に変形する不具合を防止することができ、耐久性に優れたものとなる。
【０００９】
手段４の発明に係る遊技機は、手段２又は３に記載の遊技機であって、補強部材は、遊技盤装着枠部の一側枠部の上端部から下端部にわたってその一側枠部を覆う長さ寸法を有している。
したがって、遊技盤装着枠部の一側枠部（すなわち機構盤に対するヒンジ側枠部）の上端部から下端部にわたる長さの補強部材によって、遊技盤装着枠部の一側枠部を、その全長にわたって補強することができ、機構盤の荷重によって補強部材及び内枠体の一側枠部が不測に変形する不具合をより一層良好に防止することができる。
【００１０】
手段５の発明に係る遊技機は、手段１〜４のいずれか一項に記載の遊技機であって、補強部材は、球経路の一部に配設された導電部材に電気的に接続されかつアース部材として機能する。
したがって、上下方向に沿って長尺でかつ金属製の補強部材をアース部材として機能させることで、その分だけアース接続線を短縮化することができる。
特に、低い位置にある球経路を流れる球（例えばパチンコ球）に帯電した静電気を高い位置まで誘導してアースする場合や、あるいはこれとは逆に、高い位置にある球経路を流れる球（例えばパチンコ球）に帯電した静電気を低い位置まで誘導してアースする場合において、上下方向に沿って長尺でかつ金属製の補強部材をアース部材として機能させることで、アース接続線の短縮化に効果が大きい。
【００１１】
【発明の実施の形態】
この発明の実施の形態を図面にしたがって説明する。
図１は球を使用して遊技を行う遊技機、この実施の形態では弾球遊技機（例えばパチンコ機）の開閉扉を開いた状態を示す斜視図である。図２は開閉扉を取り外し上皿部材を開いた状態を示す斜視図である。図３は外枠体に対し内枠体を開いた状態を示す斜視図である。図４は遊技機の正面図、図５は側面図、図６は背面図である。なお、説明の便宜上、遊技機に対する遊技者側を前、反対側を後という。
図１〜図６に示すように、遊技機（パチンコ機）は、外枠体１０、内枠体４０、開閉扉８０、遊技盤１１０、機構盤２００等を主体として構成されている。
【００１２】
図３、図１０及び図１１に示すように、外枠体１０は、木質製（合成樹脂製でもよい）の板材によってそれぞれ形成された上枠材１１、下枠材１２、及び左右の両側枠材１３、１４を備え、これら各枠材１１〜１４が所定数の隅補強具によって方形に枠組みされることによって方形枠状に構成されている。
すなわち、図１１に示すように、外枠体１０において、その下枠材１２の左右両端部上面には左右の両側枠材１３、１４が釘やネジ等によって直立状に取り付けられるとともに、下枠材１２の前端部上面の長手方向にわたって下受板１５が釘やネジ等によって取り付けられる。そして、左右の両側枠材１３、１４の上端には、隅補強具としての左右の両上隅補強具２０、２６を介して上枠材１１が一体状に取り付けられている。さらに、一方の側枠材１３の下部内側面と下受板１５に跨って、隅補強具としての下隅補強具３０が取り付けられることで、外枠体１０が一体状に枠組み構成されるようになっている。
【００１３】
図１１に示すように、一方の上隅補強具２０は、側部取付片２１、上部取付片２２、前側支持片２３、後側支持片２４及び内枠上ヒンジ片２５を一体に備えている。すなわち、一方の上隅補強具２０においては、その側部取付片２１が一方の側枠材１３の内側面に沿って略鉛直状に形成され、釘やネジ等によって一方の側枠材１３の内側面に取り付けられている。
側部取付片２１の上端部内側には、上枠材１１の下面に沿って略水平状をなす上部取付片２３が直角状に折り曲げ形成され、釘やネジ等によって上枠材１１の下面に取り付けられている。
また、側部取付片２１の上端部外側の前後部には上部取付片２３と略同一面をなしかつ一方の側枠材１３の上端面に沿って略水平状をなして前側支持片２３と後側支持片２４とがそれぞれ直角状に折り曲げ形成されている。そして、前側支持片２３と後側支持片２４は、一方の側枠材１３の上端面と上枠材１１の下面との間に狭持されて固定されるようになっている。
さらに、前側支持片２３の前端部には、その前端部から直角状に立ち上がる根元部とその根元部の先端部から前方に向けて略水平状に張り出すヒンジ部とを備えて略Ｌ字状に折り曲げられた内枠上ヒンジ片２５が形成されている。そして、内枠上ヒンジ片２５のヒンジ部の先端部近傍にはヒンジ孔が形成されている。
【００１４】
図１１に示すように、他方の上隅補強具２６は、側部取付片２７、上部取付片２８及び前後一対の前側支持片２９ａと後側支持片２９ｂを一体に備えている。すなわち、他方の上隅補強具２６においては、その側部取付片２７が他方の側枠材１４の内側面に沿って略鉛直状に形成され、釘やネジ等によって他方の側枠材１４の内側面に取り付けられている。側部取付片２７の上端部内側には、上枠材１１の下面に沿って略水平状をなして上部取付片２８が直角状に折り曲げ形成され、釘やネジ等によって上枠材１１の下面に取り付けられている。
また、側部取付片２７の上端部外側の前後部には、上部取付片２８と略同一面をなして連続し、かつ他方の側枠材１４の上端面に沿って略水平状をなして前後一対の前側支持片２９ａと後側支持片２９ｂがそれぞれ形成されている。そして、前後一対の前側支持片２９ａと後側支持片２９ｂは、他方の側枠材１４の上端面と上枠材１１の下面との間に狭持されて固定されるようになっている。
【００１５】
また、図１１に示すように、下隅補強具３０は、側部取付片３１、案内片３２、内枠下ヒンジ片３５及び下部取付片３７を一体に備えている。すなわち、下隅補強具３０においては、その側部取付片３１が一方の側枠材１３の内側面に沿って略鉛直状に形成され、釘やネジ等によって一方の側枠材１３の内側面に取り付けられている。下隅補強具３０の側部取付片３１の下端部内側には、下受板１５の上端面に沿って略水平状をなして案内片３２が直角状に折り曲げ形成されている。
また、案内片３２の前端部には同案内片３２の同一面をなして前方に張り出す内枠下ヒンジ片３５が一体に形成されている。そして、内枠下ヒンジ片３５の先端部近傍の上面には、内枠上ヒンジ片２５のヒンジ孔と同一中心線上にヒンジピン３６が突設されている。
また、案内片３２の内端縁には下受板１５の上端面から後面に沿って下部取付片３７が直角状に折り曲げ形成され、釘やネジ等によって下受板１５の後面に取り付けられている。
また、この実施の形態において、下隅補強具３０において、その内枠下ヒンジ片３５を含む案内片３２の上面の案内面３３は、その前側が低く後側に向かって若干高くなる緩やかな傾斜面に形成されている。そして、内枠体４０が閉じられるときには、案内面３３によって内枠体４０の内枠下ヒンジ片６２を所定高さ位置まで持ち上げることで、内枠体４０を閉じ状態に安定よく支持することができるようになっている。
【００１６】
前記したように、隅補強具としての左右の両上隅補強具２０、２６において、その各側部取付片２１、２７の上端部外側の前後部には、前側支持片２３、２９ａと後側支持片２４、２９ｂとが、それぞれの上部取付片２３、２８と略同一面をなし形成されるとともに、外枠体１０の左右の両側枠材１３、１４の上端面と上枠材１１の下面との間に狭持されて固定される構造となっている。
このため、略Ｌ字状をなす従来の隅補強具と比べ、角部の曲げ強度に優れたものとなるとともに、外枠体１０の左右の両側枠材１３、１４と上枠材１１との各接続角部を直角の姿勢に保持して、これら各枠材を強固に枠組み構成することができる。
また、この実施の形態において、一方の側枠材１３に取り付けられる上隅補強具２０と下隅補強具３０は、内枠ヒンジ装置のヒンジ部材を兼用するために内枠上ヒンジ片２５と内枠下ヒンジ片３５とがそれぞれ一体状に形成されている。このように、上隅補強具２０と下隅補強具３０に、内枠上ヒンジ片２５と内枠下ヒンジ片３５とをそれぞれ一体状に形成することで、部品点数や組付工数を軽減してコスト低減を図ることができる。
【００１７】
また、この実施の形態において、隅補強具としての左右の両上隅補強具２０、２６及び下隅補強具３０は、１枚の金属板（鉄板、ステンレス鋼板、アルミ合金板等）がそれぞれ所定形状に打ち抜かれ、折り曲げられることによって形成される。このようにして、左右の両上隅補強具２０、２６及び下隅補強具３０を、それぞれ１枚の金属板材によって料歩留まりよくかつ安価に製作することができる。
【００１８】
図３と図１０に示すように、外枠体１０の前側には、内枠体４０が内枠ヒンジ装置によって開閉可能に、かつ施錠装置１２０によって閉じ状態に施錠可能に装着されている。この内枠体４０は、合成樹脂（木質合板、軽合金等でもよい）より形成されるとともに、遊技盤１１０の前面を露出させる開口窓４６を囲むようにして上枠部４１、下枠部４２及び左右の両側枠部４３、４４を一体に備えて略方形枠状に形成されている。
図１０、図１２及び図１３に示すように、内枠体４０の一側の上下両隅部には、上隅補強具５０と下隅補強具６０とがそれぞれ取り付けられている。これら上隅補強具５０と下隅補強具６０は、１枚の金属板（鉄板、ステンレス鋼板、アルミ合金板等）がそれぞれ所定形状に打ち抜かれ、折り曲げられることによって形成されている。また、上隅補強具５０と下隅補強具６０は、内枠ヒンジ装置のヒンジ部材を兼用するために内枠上ヒンジ片５２と内枠下ヒンジ片６２とをそれぞれ備えている。さらに、上隅補強具５０は、扉ヒンジ装置のヒンジ部材も兼用するために扉上ヒンジ片５５を備えている。
【００１９】
すなわち、図１２に示すように、上隅補強具５０は、取付片５１、内枠上ヒンジ片５２及び扉上ヒンジ片５５を一体に備えている。そして、上隅補強具５０は、その取付片５１が内枠体４０の一側上部前面に沿って略鉛直状に形成され、ネジ等によって内枠体４０の前面に取り付けられている。
取付片５１の上端部前側には、内枠上ヒンジ片５２が略水平状をなして直角状に折り曲げ形成されている。この内枠上ヒンジ片５２の先端部近傍にはヒンジピン５３が下向き突設されている。
また、取付片５１の下端部前側には、扉上ヒンジ片５５が略水平状をなして直角状に折り曲げ形成されている。この扉上ヒンジ片５５の先端部近傍にはヒンジ孔が形成されている。
【００２０】
図１２に示すように、下隅補強具６０は、取付片６１と内枠下ヒンジ片６２とを一体に備えている。すなわち、下隅補強具６０においては、その取付片６１が内枠体４０の一側下部後面の沿って略鉛直状に形成され、ネジ等によって内枠体４０の後面に取り付けられている。取付片６１の下端部前側には、内枠下ヒンジ片６２が内枠体４０の前方に突出しかつ略水平状をなして直角状に折り曲げ形成されている。この内枠下ヒンジ片６２の先端部近傍にはヒンジピン５３と同一中心線上にヒンジ孔が形成されている。
そして、図１０に示すように、外枠体１０の前側において、その外枠体１０の内枠上ヒンジ片２５のヒンジ孔の上方から内枠体４０の内枠上ヒンジ片５２のヒンジピン５３が差し込まれる。一方、外枠体１０の内枠下ヒンジ片３５のヒンジピン３６の上方から内枠体４０の内枠下ヒンジ片６２のヒンジ孔が挿入されることによって、外枠体１０の前側に内枠体４０が開閉可能に装着されるようになっている。
すなわち、この実施の形態において、内枠ヒンジ装置は、外枠体１０の上隅補強具２０の内枠上ヒンジ片２５、上隅補強具２６の内枠下ヒンジ片３５、ヒンジピン３６、内枠体４０の上隅補強具５０の内枠上ヒンジ片５２、ヒンジピン５３及び下隅補強具６０の内枠下ヒンジ片６２によって構成されている。
【００２１】
図１２と図１３に示すように、内枠体４０の前側面の一側寄り部分の下部には、取付片６６と扉下ヒンジ片６７とを一体に備えて略Ｌ字状をなす扉下ヒンジ部材６５がその取付片６６においてネジ等によって取り付けられている。
この扉下ヒンジ部材６５の扉下ヒンジ片６７の先端部上面にはヒンジピン６８が上向きの突設されている。
そして、図１に示すように、内枠体４０の前側には、前記した扉上ヒンジ片５５と扉下ヒンジ片６７とを備えた扉ヒンジ装置によって開閉扉８０（ガラス扉、ガラス枠等と呼ばれることがある）が開閉可能に装着されている。この開閉扉８０は、施錠装置１２０によって閉じ状態に施錠されるようになっている。
図１、図４、図７及び図８に示すように、開閉扉８０には、遊技盤１１０の遊技領域１１４を透視可能な開口窓を備えた剛性を有する扉枠本体８１を主体として構成されている。そして、扉枠本体８１の後側には、開口窓を透視可能に塞ぐ前後２枚の透明板８３（ガラス板、透明樹脂板等）が着脱交換可能に嵌込まれた窓枠８２が設けれている。
また、扉枠本体８１の前側には、各種のランプ基板が配設されるとともに、これら各ランプ基板を覆うようにして前面装飾部材８５が装着されている。また、前面装飾部材８５には、各種のランプ基板に配設されたランプ、ＬＥＤ等の発光体に対するレンズがそれぞれ配設されている。
【００２２】
また、図２、図１２及び図１３に示すように、内枠体４０の扉下ヒンジ部材６５は、上皿上ヒンジ部材を兼用するのもであり、その扉下ヒンジ片６７の先端部下面には、下向きのヒンジピン６９が突設されている。
また、内枠体４０の前側面の一側寄り部分の下部には、扉下ヒンジ片６７の下方に所定の間隔を隔てた位置において、取付片７１と上皿下ヒンジ片７２とを一体に備えて略Ｌ字状をなす上皿下ヒンジ部材７０がその取付片７１においてネジ等によって取り付けられている。この上皿下ヒンジ部材７０の取付片７１の先端部近傍には、扉下ヒンジ片６７の下向きのヒンジピンと同一中心線上にヒンジ孔が形成されている。
そして、図１と図２に示すように、内枠体４０の前側には、開閉扉８０の下方に隣接して上皿部材９０が、上皿上ヒンジ部材を兼用する扉下ヒンジ片６７と上皿下ヒンジ部材７０とを備えた上皿ヒンジ装置によって開閉可能に装着される。この上皿部材９０の上部には所定数の球を保留しかつ最前列の球を発射位置に導く上皿９１が形成されている。
また、図１と図２に示すように、内枠体４０の下枠部４２前面には、下皿１０１や操作ハンドル１０３が装着された装飾性を有する合成樹脂製の下前板部材１００が取り付けられている。
【００２３】
図２と図４に示すように、上皿部材９０は、そのヒンジ側の幅寸法Ｈ１よりも自由端側の幅寸法Ｈ２が大きく設定されて幅広に形成されている。そして、上皿部材９０の幅広自由端部９２は、下前板部材１００に形成された上皿嵌込み部１０２の前方から嵌込まれて支持されている。また、上皿部材９０の自由端部寄り後面には、内枠体４０又は下前板部材１００の所定位置に設けられた係止部と係脱可能に係合して上皿部材９０を閉じ状態にロックする閉止部材９５がロック解除操作可能に設けられている（図２参照）。
また、図２、図１２及び図１３に示すように、内枠体４０の下枠部４２上部前側には、上皿部材９０の後側に位置して発射レール４７、レール受け部４８等が設けられている。
【００２４】
図７、図１４及び図１５に示すように、合成樹脂製の内枠体４０には、その開口窓４６の四周縁に沿って遊技盤１１０が嵌込まれて装着される遊技盤装着枠部１０４が内枠体４０の射出成形と同時に同内枠体４０の樹脂材料と同様の樹脂材料によって一体に形成されている。
この実施の形態において、遊技盤装着枠部１０４は、その後方から遊技盤１１０が嵌込み可能に形成され、同遊技盤装着枠部１０４の後部は、内枠体４０の後面から後方に突出して形成されている。
この遊技盤装着枠部１０４において、その枠内面の上部には遊技盤１１０の上部前面を受ける上部前受部１０５が形成され、枠内面の下部には遊技盤１１０の下部前面を受ける下部前受部１０６と遊技盤１１０の下端面を受ける下端受部１０７とがそれぞれ形成されている。
さらに、遊技盤装着枠部１０４の左右両側壁内面には、遊技盤１１０の前面の左右両側部の上下部、計４箇所をそれぞれ部分的に受ける側部前受部１０８が形成されている。そして、内枠体４０の遊技盤装着枠部１０４には、その後方から遊技盤１１０が嵌込まれる。これによって、遊技盤１１０の前側面が前記した上部前受部１０５、下部前受部１０６及び側部前受部１０８によってそれぞれ受けられるようになっている。そして、遊技盤１１０の後側が後に詳述する機構盤２００によって押さえられることで、内枠体４０の遊技盤装着枠部１０４に遊技盤１１０が着脱可能に装着されるようになっている。
また、この実施の形態において、図１４と図１５に示すように、遊技盤装着枠部１０４の左右の両枠部は、側壁面をなす枠板部１０４ａ、１０４ｂと、これら枠板部１０４ａ、１０４ｂの外側面から横方向に張り出しかつ上下方向に所定間隔を隔る複数の横リブ１０４ｃ、１０４ｄを一体に有してリブ構造をなしている。
【００２５】
また、図１に示すように、遊技盤１１０の前面には、外レール１１２と内レール１１３とを備えかつ内部に略円形の遊技領域１１４を区画形成する案内レール１１１が装着されている。また、遊技盤１１０の前面の遊技領域１１４内には、各種の役物装置、図柄表示装置、入賞装置、ゲート器、風車器、誘導釘等（図示しない）が配設されている。
また、図１４に示すように、内枠体４０の後面には、その遊技盤装着枠部１０４の周囲の複数箇所（図１４では４箇所）に、機構盤２００を閉じ状態に係脱可能に保持する複数の閉止具１１５が装着されている。
【００２６】
図３、図１２、図１４、図１５及び図１８に示すように、内枠体４０の後面の自由端側（図１５に向かって左側の側枠部４４側）には、外枠体１０に対しては内枠体４０を、内枠体４０に対しては開閉扉８０をそれぞれ施錠する周知の構造を有する施錠装置１２０が装着されている。すなわち、施錠装置１２０は、装着基板１２１、扉施錠板１２５、内枠施錠板１３０、シリンダー錠１４０等を備えて構成されている。
装着基板１２１は、内枠体４０の側枠部４４の長手方向に沿って長尺をなし、側枠部４４の後面に平行状をなして固定される第１装着部と、その第１装着部の一側縁に沿って後方に向けて直角状に折り曲げられた第２装着部とを備えて横断面略Ｌ字状に形成されている。
【００２７】
装着基板１２１の第１装着部の後面には、扉施錠板１２５が長孔とガイドピンによって上下方向にスライド可能にかつばねによって施錠方向（下方）に弾発されて組み付けられている。この扉施錠板１２５の上下部には装着基板１２１及び内枠体４０を貫通して同内枠体４０の前面から前方に突出する扉施錠フック１２６が一体状に形成されている（図１２参照）。そして、これら扉施錠フック１２６が開閉扉８０の所定位置に形成された係合部に係脱可能に係合することによって開閉扉８０を閉じ状態に施錠するようになっている。また、扉施錠板１２５の中間部には手動操作によって扉施錠板１２５を解錠方向（上方）にスライド動作するための操作片１２７が一体状に形成されている。
【００２８】
また、装着基板１２１の第２装着部の側面には、内枠施錠板１３０が長孔とガイドピンによって上下方向にスライド可能にかつばねによって施錠方向（上方）に弾発されて組み付けられている。この内枠施錠板１３０の上下部には後方に向けて内枠施錠フック１３１が一体に形成されいる（図１８参照）。そして、これら内枠施錠板１３０が外枠体１０の側枠材１４の内側面の上下部に配設された係止具１６に係脱可能に係合することによって内枠体４０を閉じ状態に施錠するようになっている。また、内枠施錠板１３０の上側の内枠施錠フック１３１には、手動操作によって内枠施錠板１３０を解錠方向（下方）にスライド動作するための操作片１３２が一体に形成されている。
【００２９】
また、図１と図１２に示すように、内枠体４０の自由端寄り部分には、扉施錠板１２５及び内枠施錠板１３０を解錠するためのシリンダー錠１４０が内枠体４０の下前板部材１００の前面の露出して装着されている。そして、シリンダー錠１４０の鍵穴に鍵を挿入し、その鍵を一方向に回動操作してシリンダー錠１４０の解錠板１４１を同方向に回動させることで、扉施錠板１２５が解錠方向にスライドされる。これによって内枠体４０に対し開閉扉８０が解錠されかつ前方に開かれるようになっている（図１参照）。また、シリンダー錠１４０の鍵穴に挿入された鍵を前記とは逆方向に回動操作してシリンダー錠１４０の解錠板１４１を同方向に回動させることで、内枠施錠板１３０が解錠方向にスライドされる。これによって外枠体１０に対し内枠体４０が解錠されかつ前方に開かれるようになっている（図３参照）。
【００３０】
前記したような構造をもつ施錠装置１２０において、遊技機の前側において、例えば、外枠体１０と内枠体４０との間にワイヤー等の異物が侵入され、その異物によって内枠施錠板１３０が解錠方向に移動されて内枠体４０が不正に開放される場合が想定される。このように内枠体４０が不正に開かれることがないように、例えば、図１９と図２０に示すように、内枠体４０側と、内枠施錠板１３０との間に、連動片１４４、ロックレバー１５０及びシャッター１６０を備えたロック装置を配設して内枠施錠板１３０を施錠位置にロックすることが望ましい。
【００３１】
すなわち、図１９と図２０に示すように、内枠体４０側の所定位置には、ロックレバー１５０が軸１５１を支点として回動可能に組み付けられるとともに、ばね（図示しない）によってロック位置に向けて弾発されている。
ロックレバー１５０の一端部には内枠施錠板１３０の所定位置に形成されたロック孔１３３に挿脱可能に挿入されて内枠施錠板１３０を施錠位置にロックするロック部１５２が形成されている。また、ロックレバー１５０の他端部には、シリンダー錠１４０の解錠板１４１に形成された連動片１４４に係合する係合部１５３が形成されている。そして、シリンダー錠１４０の鍵穴に挿入された鍵によって解錠板１４１を所定方向に回動させて内枠施錠板１３０を解錠方向にスライドさせる際、その内枠施錠板１３０のスライド動作に先立って、ロックレバー１５０を、軸１５１を支点としかつばねの弾発力に抗して内枠施錠板１３０のロック孔１３３から抜け出るロック解除位置まで回動させるようになっている。
【００３２】
また、内枠体４０側の所定位置には、内枠施錠板１３０のロック孔１３３を開閉可能に塞いでロックレバー１５０をロック解除位置に保持するためのシャッター１６０が軸１６１を支点として回動可能に装着されている。このシャッター１６０は、ばね（図示しない）によって図１９において２点鎖線に示すように、内枠施錠板１３０のロック孔１３３を閉じる閉じ位置まで回動される。
また、図１９に示すように、シャッター１６０の所定位置にはロックレバー１５０のロック部１５２が挿通可能でかつ内枠施錠板１３０のロック孔１３３に合致して同ロック孔１３３を開く挿通孔１６２が形成されている。そして、図２０の（Ａ）に示すように、シャッター１６０は、外枠体１０に対し内枠体４０が閉じられたときに、その外枠体１０の所定位置に当接して押圧されながらばね（図示しない）の弾発力に抗して内枠施錠板１３０のロック孔１３３を開く開き位置に配置されるようになっている。
また、図２０の（Ｂ）に示すように、ロックレバー１５０のロック部１５２が内枠施錠板１３０のロック孔１３３から抜け出るロック解除位置まで回動されたときには、シャッター１６０がばね（図示しない）の弾発力によって内枠施錠板１３０のロック孔１３３を閉じる閉じ位置に配置切換されるようになっている。
【００３３】
すなわち、図２０の（Ａ）に示すように、外枠体１０に対し内枠体４０が閉じられ内枠施錠板１３０の内枠施錠フック１３１が外枠体１０の係止具１６に係合して施錠された状態において、ロックレバー１５０のロック部１５２がシャッター１６０の挿通孔１６２を通して内枠施錠板１３０のロック孔１３３に挿入されて係合し、これによって内枠施錠板１３０が施錠位置にロックされる。
このため、遊技機の前側において、その外枠体１０と内枠体４０との間にワイヤー等の異物が侵入され、その異物によって内枠施錠板１３０が解錠方向に移動されようとしても、内枠施錠板１３０が移動不能に保持される。この結果、外枠体１０に対し内枠体４０が不測に開かれて不正行為が行われる不具合が防止される。
【００３４】
図４〜図６に示すように、内枠体４０の後面の下部、すなわち、内枠体４０の下枠部４２の後面には、その片側（図１５に向かって左側）寄り位置して発射装置ユニット１７０が装着されている。この発射装置ユニット１７０は、発射位置（打球位置）にある球を発射レール４７並びに外レール１１２と内レール１１３との間の発射通路を通して遊技領域１１４の上部に向けて発射するものである。この実施の形態において、図１６に示すように、発射装置ユニット１７０は、取付基板１７１、発射モータ１７２、発射ハンマー１７３、発射制御用基板ボックス１７４等を備え、かつ１つのユニットとして取り扱い可能に構成されている。
【００３５】
図１５と図１６に示すように、取付基板１７１は、内枠体４０の下枠部４２の略半分程度の幅寸法を有する方形で高剛性の板材、例えば、板厚が数ｍｍ程度の厚板金属板（鉄板、ステンレス鋼板等）より形成されている。そして、取付基板１７１は、その四隅部においてビス等によって内枠体４０の下枠部４２の後面に着脱可能に取り付けられている。取付基板１７１の後面の略中央部には、発射ハンマー１７３が軸を中心として回動可能に取り付けられるとともに、その発射ハンマー１７３の片側に位置して同発射ハンマー１７３を駆動する発射モータ１７２が取り付けられている。さらに、取付基板１７１の後面には発射モータ１７２を作動制御するための発射制御基板（図示しない）を収納した発射制御用基板ボックス１７４が装着されている。
【００３６】
図１４、図１５及び図１７に示すように、内枠体４０の後面の一側寄り部分（図１５に向かって右側に位置するヒンジ側の側枠部４３の後面）には、内枠体４０を補強するための上下方向に長尺でかつ剛性を有する金属製の補強部材１８０が装着されている。
この実施の形態において、図３１に示すように、内枠体４０の後面の一側寄り部分（機構盤２００に対するヒンジ側）と遊技盤装着枠部１０４の一側枠部（機構盤２００に対するヒンジ側枠部）とにわたりかつ上下中間の計３箇所には補強部材１８０をビスによって取り付けるためのボス部１０９ａ、１０９ｂ、１０９ｃがそれぞれ一体に形成されている。
また、内枠体４０の後面の一側寄り部分の上下２箇所には、補強部材１８０の上下両端の角部に係合して補強部材１８０を上下及び左右方向に位置決めする直角状の位置決め部１０９ｄ、１０９ｅがそれぞれ突出状に形成されている。
【００３７】
図１４、図１７、図３１及び図３２に示すように、補強部材１８０は、内枠体４０の後面の上端部近傍から下端部近傍にわたって長尺に形成されるとともに、内枠体４０の後面に沿う根元部１８１と、遊技盤装着枠部１０４の一側枠部（ヒンジ側枠部）の外側面に沿う側壁部１８２とを一体に備えて横断面で略Ｌ字状に形成されている。
この実施の形態において、補強部材１８０の根元部１８１は、内枠体４０の後面に平行して配置され、側壁部１８２は、根元部１８１の内縁部から内枠体４０のリブ構造をなす一側枠部（ヒンジ側枠部）の外側、すなわち一側枠部の枠板部１０４ａの外側面から横方向に張り出す複数の横リブ１０４ｃの先端部を覆うようにしてかつ後方に向けて直角状に折り曲げられて形成されている。
【００３８】
図３１に示すように、補強部材１８０には、その側壁部１８２の後端縁の複数箇所、この実施の形態では、上下及び中央部の３箇所には、内枠体４０の各ボス部１０９ａ、１０９ｂ、１０９ｃの後端面に沿って上取付片１８３、下取付片１８５及び中間取付片１８８がそれぞれ内側に向けて直角状に折り曲げられて形成されている。
そして、補強部材１８０は、その根元部１８１の上下両端の角部が内枠体４０の後面の上下の位置決め部１０９ｄ、１０９ｅに若干ではあるが差し込まれて係合しかつ位置決めされた状態で、その根元部１８１が内枠体４０の後面に沿って配置される。さらに、補強部材１８０の側壁部１８２は、内枠体４０の遊技盤装着枠部１０４のリブ構造をなす一側枠部（ヒンジ側枠部）の外側面を覆うようにして配置される。そして、補強部材１８０は、その上取付片１８３、下取付片１８５及び中間取付片１８８が、内枠体４０の各ボス部１０９ａ、１０９ｂ、１０９ｃにビス１８９によってそれぞれ取り付けられる。
【００３９】
また、補強部材１８０の上取付片１８３の下端部には、後方に向けて略直角状に折り曲げられて略水平状に張り出す機構盤上ヒンジ片１８４が一体に形成されている。さらに、補強部材１８０の下取付片１８５の下端部には、後方に向けて略直角状に折り曲げられて略水平状に張り出す機構盤下ヒンジ片１８７が一体に形成されている。
【００４０】
また、補強部材１８０は、球経路の一部に配設された導電部材に電気的に接続されることによってアース部材として機能するようになっている。
この実施の形態においては、図３３に示すように、上皿部材９０の球経路の一部に薄板状の導電部材３５０が配設され、同上皿部材９０の内部には一端が導電部材３５０に電気的に接続され他端が上皿部材９０の後面のヒンジ側に配設された金属製補強板３５２に電気的に接続された棒状の導電部材３５１が挿通されている。
上皿部材９０の金属製補強板３５２は扉下ヒンジ片６７（又は上皿下ヒンジ片７２）に接して電気的に接続され、その扉下ヒンジ片６７（又は上皿下ヒンジ片７２）が導電性に優れた薄板銅板等の接続片３５３を介して補強部材１８０の下部に弾性的に圧接して電気的に接続されている。そして、補強部材１８０の上部には、アース接続線３５５の一端部がはんだ付け等によって電気的に接続されている。
【００４１】
一方、後に詳述する機構盤２００の後面のヒンジ寄り部分の上部には、補強部材１８０の上部の側方からの比較的近距離に位置して分電基板３６０が設置されている。そして、アース接続線３５５の他端部は分電基板３６０の交流回路の接地側に電気的に接続されている。
また、分電基板３６０には、電源端子とアース端子をそれぞれ有する基板コネクタ３６１が配設されている。そして、その基板コネクタ３６１に対し、電源コード３７０とアースコード３７１とがそれぞれ並列に延出される端末コネクタ３７２が差し込まれるようになっている。
また、この実施の形態において、分電基板３６０は、後に詳述する球払出装置ユニット（球払出装置）２５１のケース内に収納されカバーによって覆われている（図２３及び図２４参照）。
また、図３４に示すように、電源コード３７０から分電基板３６０に供給される電源は、カード式球貸機に対するインターフェース基板と、電源基板２８２とにそれぞれ供給される。そして、電源基板２８２から所要とする直流電圧が払出制御基板２６２、主制御基板２９１、スピーカやランプ等を制御する副制御基板（図示しない副制御基板ボックス内に収納される）等に供給されるようになっている。
【００４２】
前記したように、合成樹脂製の内枠体４０の後面のヒンジ側の上端部近傍から下端部近傍にわたって長尺に形成された金属製の補強部材１８０が、その上取付片１８３、下取付片１８５及び中間取付片１８８においてビス１８９によって内枠体４０の各ボス部１０９ａ、１０９ｂ、１０９ｃに取り付けられることで、補強部材１８０が内枠体４０と一体状をなして結合される。これによって、内枠体４０を効率よく補強することができる。
特に、内枠体４０に装着される各種装置、主として機構盤２００やその機構盤２００に装着される各種装置、部品の荷重が集中して作用するヒンジ側を補強することができる。このため、合成樹脂製の内枠体４０の前後方向の寸法を小さくしても、その内枠体４０を所要とする強度に保持することが可能となる。
また、補強部材１８０は、その横断面において、根元部１８１と側壁部１８２とを一体に備えて横断面で略Ｌ字に形成されることによって、補強部材１８０自身の強度（剛性）が増大されるばかりでなく、内枠体４０、特に、遊技盤装着枠部１０４の一側枠部（すなわち機構盤２００に対するヒンジ側枠部）が一層強固に補強される。
【００４３】
また、内枠体４０の遊技盤装着枠部１０４の少なくとも一側枠部（すなわち機構盤２００に対するヒンジ側枠部）は、横方向の複数の横リブ１０４ｃを有してリブ構造に形成される。そして、補強部材１８０は、遊技盤装着枠部１０４の一側枠部のリブ構造部を覆うようにして装着されている。
このため、遊技盤装着枠部１０４の少なくとも一側枠部（すなわち機構盤２００に対するヒンジ側枠部）は、横方向の複数の横リブ１０４ｃによって効率よく補強される。
しかも、遊技盤装着枠部１０４の一側枠部のリブ構造部を覆うようにして補強部材１８０が装着されるため、機構盤２００の荷重を、少なくとも２つのヒンジ部（この実施の形態では、機構盤上ヒンジ片１８４と機構盤下ヒンジ片１８７）を介して補強部材１８０及び遊技盤装着枠部１０４の一側枠部においてそれぞれ良好に受けることができる。このため、機構盤２００の荷重によって補強部材１８０及び内枠体４０の遊技盤装着枠部１０４の一側枠部が不測に変形する不具合を防止することができ、耐久性に優れたものとなる。
【００４４】
また、補強部材１８０は、内枠体４０の遊技盤装着枠部１０４の一側枠部（すなわち機構盤２００に対するヒンジ側枠部）の上端部から下端部にわたってその一側枠部を覆う長さ寸法を有している。このため、補強部材１８０によって、遊技盤装着枠部１０４の一側枠部を、その全長にわたって補強することができ、機構盤２００の荷重によって補強部材１８０及び遊技盤装着枠部１０４の一側枠部が不測に変形する不具合をより一層良好に防止することができる。
【００４５】
また、この実施の形態において、補強部材１８０の上取付片１８３の下端部には、後方に向けて略直角状に折り曲げられて略水平状に張り出す機構盤上ヒンジ片１８４が一体に形成されている。さらに、補強部材１８０の下取付片１８５の下端部には、後方に向けて略直角状に折り曲げられて略水平状に張り出す機構盤下ヒンジ片１８７が一体に形成されている。そして、機構盤上ヒンジ片１８４と機構盤下ヒンジ片１８７によって機構盤ヒンジ装置のヒンジ部材を兼用することができ、その分だけ部品点数や組付工数を軽減してコスト低減を図ることができる。
【００４６】
また、補強部材１８０は、球経路の一部に配設された導電部材に電気的に接続されかつアース部材として機能させることで、その分だけアース接続線を短縮化することができる。
すなわち、この実施の形態において、図３３に示すように、上皿部材９０の球経路の板状の導電部材３５０が、上皿部材９０内部の棒状の導電部材３５１、上皿部材９０の金属製補強板３５２、扉下ヒンジ片６７（又は上皿下ヒンジ片７２）及び接続片３５３を介して、補強部材１８０の下部に電気的に接続されている。そして、補強部材１８０をアース部材として機能させ、その補強部材１８０の上部をアース接続線３５５を介して分電基板３６０（他の制御回路基板、中継基板等の回路基板であってもよい）の交流回路の接地側（あるいは直流回路のマイナス側）に電気的に接続されている。
前記したように、比較的低い位置でかつ機構盤２００のヒンジ側とは反対の自由端側に配設された上皿部材９０の球経路の板状の導電部材３５０と、機構盤２００の上部の高い位置でかつヒンジ側に配設された分電基板３６０とを電気的に接続するために必要なアース接続線を補強部材１８０の長さ寸法（高さ寸法）に相当する分だけ短縮化することができる。しかも、アース接続線を短縮化することによってアース接続線が他の部品に干渉する不具合も軽減することができる。
【００４７】
また、前記とは逆に、比較的高い位置に配設された球経路を流れる球、例えば、高い位置に配置された球タンク２２５やタンクレール２４０の球経路を流れる球（パチンコ球）に帯電した静電気を、低い位置に配置された回路基板、例えば、電源基板２８２の交流回路の接地側（あるいは直流回路のマイナス側）に逃がす場合、球タンク２２５やタンクレール２４０の球経路に板状の導電部材を配設し、その導電部材を補強部材１８０の上部に電気的に接続する。そして、補強部材１８０の下部を低い位置に配設された電源基板２８２の交流回路の接地側（あるいは直流回路のマイナス側）に電気的に接続することで、補強部材１８０をアース部材として機能させることができるとともにアース接続線の短縮化を図ることができる。
【００４８】
また、この実施の形態において、分電基板３６０には、電源端子とアース端子をそれぞれ有する基板コネクタ３６１が配設されている。そして、その基板コネクタ３６１に対し、電源コード３７０とアースコード３７１とがそれぞれ並列に延出される端末コネクタ３７０が差し込まれるようになっている。
このため、分電基板３６０の所定位置にアース端子を配設し、そのアース端子にアースコード３７１を個別に接続する手間を省くことができる。
【００４９】
また、この実施の形態において、内枠体４０の後面の自由端側（補強部材１８０が配設される側と反対側）には、施錠装置１２０の装着基板１２１が装着されている。そして、装着基板１２１は、内枠体４０の側枠部４４の長手方向に沿って長尺をなし、かつ第１装着部と、第２装着部とを備えて横断面略Ｌ字状に形成され、これら第１装着部と、第２装着部に対し扉施錠板１２５及び内枠施錠板１３０とが装着されている。これによっても内枠体４０の強度を高めることができる。
また、内枠体４０の後面の下部には、発射装置ユニット１７０が、厚板金属板（鉄板、ステンレス鋼板等）より形成された取付基板１７１によって装着されている。このため、発射装置ユニット１７０、特にその取付基板１７１によっても内枠体４０を補強することができる。
【００５０】
また、内枠体４０の前側には、扉ヒンジ装置によって開閉扉８０が開閉可能に装着されるとともに、開閉扉８０の下方に隣接して上皿ヒンジ装置によって上皿９１を備えた上皿部材９０が開閉可能に装着され、さらに、下皿１０１や操作ハンドル１０３が装着される下前板部材１００が取り付けられている。
このようにして、内枠体４０の前側にも開閉扉８０、上皿部材９０及び下前板部材１００が装着されることによって内枠体４０の強度が高められる。
また、図２と図４に示すように、上皿部材９０は、そのヒンジ側よりも自由端側が幅広に形成され、その幅広自由端部９２は、下前板部材１００に形成された上皿嵌込み部１０２の前方から嵌込まれて支持されている。このため、上皿部材９０の幅広自由端部９２と、下前板部材１００の上皿嵌込み部１０２との嵌合力によっても、内枠体４０の強度を高めることができる。
【００５１】
内枠体４０の後面には、補強部材１８０の機構盤上ヒンジ片１８４と機構盤下ヒンジ片１８７を備えた機構盤ヒンジ装置によって機構盤２００が開閉可能に装着され、複数の閉止具１１５によって閉じ状態に係脱可能に保持されるようになっている（図１４及び図１８参照）。
図２１〜図２４に示すように、機構盤２００は、合成樹脂（軽金属等であってもよい）よりなり、遊技盤１１０の後面に突出状に装着される各種装備品、装置等（図示しない）を後方に突出可能な開口窓２０５を囲むようにして上枠部２０１、下枠部２０２及び左右の両側枠部２０３、２０４を一体に備えて略方形枠状に形成されている。
【００５２】
図２１と図２２に示すように、合成樹脂製の機構盤２００の前側面の一側寄り上下部には、機構盤上ヒンジ片１８４と機構盤下ヒンジ片１８７にそれぞれ対応する位置において上ヒンジ体２１０と下ヒンジ体２１２とがそれぞれ形成されている。これら、上ヒンジ体２１０と下ヒンジ体２１２には、ヒンジピン２１１、２１３がそれぞれ下向きに設けられている。そして、各ヒンジピン２１１、２１３が機構盤上ヒンジ片１８４と機構盤下ヒンジ片１８７のヒンジ孔の上方から差し込まれることによって、内枠体４０の後面に機構盤２００が着脱並びに開閉可能に装着されるようになっている。
すなわち、機構盤ヒンジ装置は、内枠体４０の補強部材１８０の機構盤上ヒンジ片１８４、機構盤下ヒンジ片１８７、機構盤２００側の上ヒンジ体２１０、ヒンジピン２１１、下ヒンジ体２１２及びヒンジピン２１３によって構成されている。
また、機構盤２００の開口窓２０５の周縁部には遊技盤１１０の後面の周縁部を押さえる押さえ部が形成されている。
【００５３】
図２３と図２４に示すように、機構盤２００の上枠部２０１の上部には、球タンク２２５を着脱可能に装着するためのタンク装着部２２０が形成されている。このタンク装着部２２０は、機構盤２００の前方から球タンク２２５を装着可能な開口部を有し、その開口部の下側には、球タンク２２５の下面を受けるタンク受棚２２１が形成されている。また、タンク装着部２２０の開口部の左右両側部には、側壁部２２３、２２４が対向状に形成され、これら両側壁部２２３、２２４の相対する面には、前後方向の装着溝がそれぞれ凹設されている。
そして、機構盤２００のタンク装着部２２０には、所定量（多数個）の球を貯留して、その球を順次にタンクレール２４０に向けて供給するための球タンク２２５が機構盤２００の前方から着脱可能に装着されるようになっている。
【００５４】
図２３と図２４に示すように、機構盤２００の上枠部２０１の後面には、タンク装着部２２０の球タンク２２５の下方に隣接してタンクレール２４０を着脱可能に装着するためのレール装着用凹部２３０が設けられている。このレール装着用凹部２３０の下側壁をなすレール受棚２３１は、タンクレール２４０の前後方向の幅寸法と略同じ幅寸法に形成されている。さらに、レール受棚２３１は一側が高く、他側が低い（図２４に向かって左側が高く、右側が低い）傾斜状に形成されている。そして、レール装着用凹部２３０には、そのレール受棚２３１に受けられた状態でタンクレール２４０が着脱可能に装着される。
【００５５】
図２５と図２６に示すように、タンクレール２４０は、後壁部２４１と下板部２４２とを一体状に有して横断面略Ｌ字状に形成されている。下板部２４２は、レール装着用凹部２３０のレール受棚２３１に沿って傾斜状に形成されている。また、下板部２４２の前側下縁には、レール装着用凹部２３０の複数の装着孔に係脱可能に係合する複数の弾性係止片がそれぞれ突設されている。
また、下板部２４２の上面の幅方向の略中央部には、仕切り壁２４３が直角状に立設され、その仕切り壁２４３を境として球Ｂを前後２列に配列して誘導する球誘導路が形成されている。
そして、レール装着用凹部２３０にタンクレール２４０が装着された状態において、球タンク２２５の供給口から供給（流出）された球Ｂは、タンクレール２４０の前後２列の球誘導路に案内されながら後述する球払出装置ユニット２５１に向けて誘導案内されるようになっている。
【００５６】
レール装着用凹部２３０の上側壁をなす天井部２３２は、上流側が高く下流側が低い傾斜状に形成されている。この天井部２３２の所定位置（タンクレール２４０の前後２列の球誘導路の下流側寄り部分に対応する位置）には上方に向けて凹まされた整流体装着用凹部２３５が形成されている。
整流体装着用凹部２３５には、前後一対の整流体２４５（球ならし体とも呼ばれることがある）が、その各上端部において共通の軸２４６を中心としてそれぞれ揺動可能に装着されている。これら一対の整流体２４５は、自重によって略垂下状をなすようにその下部には球等の単数又は複数の錘２４７がそれぞれ設けられている。そして、一対の整流体２４５の下端部は仕切り壁２２５を境として前後２列の球誘導路の上方に１つの球Ｂがそれぞれ通過可能な空間を隔てて臨んでいる。これによって、タンクレール２４０の前後２列の球誘導路を流れる球Ｂが上下に段積み状態となって流れたときには、その上段の球Ｂが整流体２４５によってならされるようになっている。
言い換えると、タンクレール２４０の前後２列の球誘導路を流れる球Ｂが上下に段積み状態となることを前後一対の整流体２４５によって防止することで、その整流体２４５の下流側においては球Ｂがそれぞれ１列に整列されて流れるようになっている。
【００５７】
この実施の形態において、整流体装着用凹部２３５は、前後一対の整流体２４５がタンクレール２４０の前後２列の球誘導路の下流側に向かう方向に略水平状をなす状態まで回動を許容する形状に形成されている。言い換えると、前後一対の整流体２４５が整流体装着用凹部２３５に格納される位置まで回動可能とすることで、レール装着用凹部２３０の上側壁をなす天井部２３２の延長面２３２ａの下方に対し整流体２４５の突出部分が可及的に軽減されるようになっている。このように整流体装着用凹部２３５内に前後一対の整流体２４５が格納可能に構成されることで、仮に、タンクレール２４０の球誘導路に球Ｂが過剰となって貯められた状態にあるときには、これら球Ｂの流圧によって前後一対の整流体２４５がタンクレール２４０の前後２列の球誘導路の下流側に向かう方向に軸２４６を中心としかつ略水平状をなす格納状態まで回動する。
【００５８】
すなわち、前後一対の整流体２４５は、レール装着用凹部２３０の上側壁をなす天井部２３２の延長面２３２ａの下方に大きく突出されることなく整流体装着用凹部２３５内に格納される。
このため、仮に、タンクレール２４０の球誘導路に球Ｂが過剰となって貯められた状態にあるときにも、そのタンクレール２４０から球Ｂがこぼれ落ちる不具合を防止することができる。
例えば、前後一対の整流体２４５の回動角度がレール装着用凹部２３０の上側壁をなす天井部２３２に当たって小さく制限され、その整流体２４５の一部が天井部２３２の下方から大きく突出すると、その整流体２４５の突出部によって球Ｂの流れが阻害される。これによって、タンクレール２４０の球誘導路に球Ｂが過剰となって貯められた状態にあるときには、タンクレール２４０の球誘導路から球がこぼれ落ちる不具合が発生する場合がある。
しかしながら、この実施の形態によると、前記したようにタンクレール２４０の球誘導路から球Ｂがこぼれ落ちる不具合を防止することができる。
【００５９】
図８、図１８、図２３及び図２４に示すように、機構盤２００のヒンジ側の側枠部２０３後面には払出装置用装着凹部２５０が設けられている。この払出装置用装着凹部２５０には、タンクレール２４０の前後２列の球誘導路の出口から流出する球が流入される球通路を有する球払出装置ユニット２５１が着脱可能に装着される。この球払出装置ユニット２５１は、賞球数、あるいは貸し球数に対応する数の球を機構盤２００側の払出通路（図示しない）に向けて払い出すようになっている。すなわち、球払出装置ユニット２５１は、ケース体、通路構成部材、及び複数又は単数のカバー体を本体部とし、その本体部には、球通路（球流入通路、賞球用払出通路、貸球用払出通路、排出通路等）が形成されるとともに、払出用モータ、払出用回転体、賞球用検出器、貸球用検出器等の各種の構成部品が組み付けられてユニット化（一体化）されている。
【００６０】
図９、図２３及び図２４に示すように、機構盤２００の下枠部２０２後面の一側（ヒンジ側）寄り部分には、払出基板ボックス用装着部２６０が形成されている。この払出基板ボックス用装着部２６０には、払出制御基板２６２が収納された払出用基板ボックス２６１がビスやクリップ等の取付手段によって着脱可能に装着されている。払出用基板ボックス２６１の払出制御基板２６２は、主制御基板ボックス２９０の主制御基板から伝達される信号に基づいて球払出装置ユニット２５１の払出用モータを作動制御するようになっている。
【００６１】
機構盤２００の後面の所定位置には、基板ボックスが収納された状態で着脱可能に装着されるボックス用収納凹部２７０が形成されている。
この実施の形態において、図９、図２３及び図２４に示すように、機構盤２００の下枠部２０２後面の他側（自由端側）寄り部分に、基板ボックスとしての電源基板ボックス２８０が収納された状態で着脱可能に装着されるボックス用収納凹部２７０が凹設されている。
図２３、図２４、図２７及び図２８に示すように、ボックス用収納凹部２７０は、上壁部２７１、下壁部２７５、左右の両側壁部２７６、２７７及び底板部２７８を備えて後方に開口する箱形状に形成されている。そして、図２８に示すように、ボックス用収納凹部２７０の深さ寸法（上壁部２７１の一部及び左右の両側壁部２７６、２７７の高さ寸法）は、電源基板ボックス２８０の高さ寸法と略同じあるいは適宜に大きく設定されている。
【００６２】
また、この実施の形態において、図２３、図２４及び図２７に示すように、上壁部２７１の略中央部は上方に向けて凹まされており、これによってボックス用収納凹部２７０の上部には放熱用空間部２７２が形成されている。さらに放熱用空間部２７２の上段壁部２７３には複数のスリット状、あるいは孔状の放熱用孔２７４が形成されている。
また、図２７に示すように、下壁部２７５は、機構盤２００の下端部に沿って存在するとともに、その下壁部２７５の高さ寸法は他の壁部、すなわち、上壁部２７１及び左右の両側壁部２７６、２７７の高さ寸法よりも数分の１程度小さく設定されてる。
【００６３】
機構盤２００のボックス用収納凹部２７０には、その後方開口部から基板ボックスとしての電源基板ボックス２８０が嵌込まれ、図示しない弾性係止片やビス等の取付手段によって取り付け（固定）られるようになっている。
また、ボックス用収納凹部２７０の取付手段が、例えば、弾性係止片である場合、ボックス用収納凹部２７０の壁部の一部に対し弾性係止片を一体に形成することが望ましい。さらに、弾性係止片は、ボックス用収納凹部２７０に対する電源基板ボックス２８０の嵌込動作によって同電源基板ボックス２８０のボックス体２８１に弾性的に係合するように形成することが望ましい。
図２７と図２８に示すように、電源基板ボックス２８０は、略四角箱形状に形成されたボックス体２８１に電源基板２８２が収納されて構成されている。さらに、ボックス体２８１の所定位置には、放熱孔２８３がそれぞれ形成されている。この電源基板ボックス２８０の電源基板２８２は、分電基板３６０からの外部電源を受け、所要とする直流電圧を払出制御基板２６２、主制御基板２９１、副制御基板（図示しない副制御基板ボックス内に収納されている）等に供給するようになっている。
【００６４】
前記したように、この実施の形態において、ボックス用収納凹部２７０の深さ寸法は、電源基板ボックス２８０の高さ寸法と略同じあるいは適宜に大きく設定されている。これによって、電源基板ボックス用収納凹部２７０によって機構盤２００自体の強度が良好に高められる。さらに、ボックス用収納凹部２７０に電源基板ボックス２８０が僅かな隙間をもって嵌込まれ装着されることで、機構盤２００の強度がより一層高められる。
また、ボックス用収納凹部２７０内に電源基板ボックス２８０が突出されることなく収納される。このため、機構盤２００の後側には、ボックス用収納凹部２７０に電源基板ボックス２８０が装着された状態において、その電源基板ボックス２８０の後方に位置して主制御基板が収納された主制御基板ボックス２９０、あるいはスピーカ等の音声発生器やＬＥＤ、ランプ等の発光体を制御する副制御制御基板が収納された副制御ボックス（図示しない）を容易に装着することができる（図１８、図２５及び図２７参照）。
【００６５】
また、機構盤２００の後側には、ボックス用収納凹部２７０に電源基板ボックス２８０が装着された状態において、主制御基板ボックス２９０と、スピーカ等の音声発生器やＬＥＤ、ランプ等の発光体を制御する副制御基板が収納された副制御基板ボックスとを段積み状に装着するとこもできる。さらに、主制御基板ボックス２９０あるいは副制御基板ボックスとは別の基板ボックスや装備品、装置等を装着することも可能である。
言い換えると、ボックス用収納凹部２７０に電源基板ボックス２８０が装着された状態において、機構盤２００の後側には、そのボックス用収納凹部２７０の回りにおいて、電源基板ボックス２８０が妨害物となることなく、他の基板ボックスや装備品、装置等を容易に装着することができる。
また、ボックス用収納凹部２７０に対し、電源基板ボックス２８０に代え副制御基板ボックスを装着することも可能である。
【００６６】
また、この実施の形態において、ボックス用収納凹部２７０の上壁部２７１の略中央部の上部に放熱用空間部２７２が形成され、その放熱用空間部２７２の上段壁部２７３に放熱用孔２７４が形成されている。このため、ボックス用収納凹部２７０の収納された電源基板ボックス２８０の熱を放熱用空間部２７２及び放熱用孔２７４によって良好に放熱することができるという効果がある。
また、この実施の形態において、図２７に示すように、ボックス用収納凹部２７０において、その下壁部２７５の高さ寸法が他の壁部の高さ寸法よりも小さく設定されることで、ボックス用収納凹部２７０の下方からも電源基板ボックス２８０の熱を良好に放熱することができる。
【００６７】
図２１、図２２及び図２７に示すように、機構盤２００の下枠部２０２の他側（自由端側）寄り部分の前側には、遊技盤１１０の後側に流れる球を集めて所定位置まで誘導する球集合路３００（球集合樋）が形成されている。
特に、球集合路３００は、機構盤２００のボックス用収納凹部２７０の上壁部２７１の上方に位置しかつ放熱用空間部２７２に対しては仕切り壁（後側の通路壁３０１）によって前後に区画された状態で球集合路３００（球集合樋）が形成されている。
すなわち、この実施の形態において、球集合路３００の後側の通路壁３０１は前記仕切り壁によって構成され、前側の通路壁３０２は、機構盤２００とは別体の樋板によって形成されている。さらに、球集合路３００の通路底部３０３は、一側が高く他側が低い傾斜状をなし、かつ機構盤２００と一体状に形成されている。
このようにして、機構盤２００のボックス用収納凹部２７０の上方の限られたスペース内において、球集合路３００（球集合樋）を構成することができる。言い換えると、ボックス用収納凹部２７０上方の限られたスペースを球集合路３００の配置スペースとして有効利用することができる。
【００６８】
図２１、図２２及び図２７に示すように、球集合路３００の前後の両通路壁３０１、３０２の間の通路幅は、球Ｂの直径寸法よりも適宜に大きく設定されている。また、球集合路３００の前後の両通路壁３０１、３０２の相対する内壁面のうち、少なくとも一方の内壁面には、球集合路３００の通路壁の強度を高めて耐久性の向上を図るため、所定数のリブが球Ｂの通過を許容する突出寸法内において突設されている。
この実施の形態において、球集合路３００の前後の両通路壁３０１、３０２の相対する内壁面のうち、少なくとも一方、例えば、樋板によって形成されている通路壁３０２の内壁面に、複数のリブを構成する１条の上側リブ３０５と２条の下側リブ３０６とが上下方向に所定の間隔を隔て、かつ通路底部３０３と略平行する傾斜状をなしてそれぞれ突設されている。
【００６９】
また、図２７に示すように、上側リブ３０５の突出寸法Ｔ１よりも下側リブ３０６の突出寸法Ｔ２を適宜に大きく設定することによって、球集合路３００の上部開口部から流入する球Ｂが、まず、上側リブ３０５に当たり、次に下側リブ３０６に当たるように構成されている。
例えば、球Ｂの直径寸法が１１ｍｍ程度である場合には、下側リブ３０６の突出端と対向する反対側の通路壁３０１との間隔寸法Ｗが僅かに大きい程度（例えば、１１．５ｍｍ〜１２ｍｍ前後）に設定されている。
このように球集合路３００の内壁面に、上側リブ３０５と下側リブ３０６とがそれぞれ突出されることで、球集合路３００の上部開口部から流入する球Ｂが直接的に球集合路３００の通路底部３０３に直接当たることを軽減することができ、ひいては、球の落下衝撃による通路底部３０３の損傷や通路底部３０３に対する球の衝突音の発生を小さく抑えることができるという効果がある。
【００７０】
また、機構盤２００と別体の樋板によって形成された通路壁３０１の内壁面に対し上側の一条の上側リブ３０５と下側の２条の下側リブ３０６との計３条のリブが球集合路３００の通路底部３０３に略平行してそれぞれ形成されている。このように、機構盤２００と別体の樋板よりなる通路壁３０２に対し上側リブ３０５と下側リブ３０６とを一体に形成することで、機構盤２００に一体に形成される通路壁３０１に上側リブ３０５と下側リブ３０６とを形成する場合と比べ上側リブ３０５と下側リブ３０６とを容易に形成することができる。
【００７１】
機構盤２００の後面の所定位置には、単数の基板（中継基板）、又は複数の基板（中継基板）をそれぞれ個別に装着するための基板用装着部が形成されている。
この実施の形態において、図２３、図２４、図２９及び図３０に示すように、機構盤２００の上枠部２０１後面の一側（ヒンジ側）寄り部分に、第１の基板装着用凹部としての第１の中継基板用装着凹部３１０と、第２の基板装着用凹部としての第２の中継基板用装着凹部３２０とがそれぞれ隣接状に形成されている。そして、これら第１の中継基板用装着凹部３１０と第２の中継基板用装着凹部３２０には、第１の基板としての第１の中継基板３１８と、第２の基板としての第２の中継基板３２８とがそれぞれ個別に着脱可能に装着される。
第１の中継基板３１８と第２の中継基板３２８は、略方形板状をなす基板本体の表面側に中継回路を構成するための各種の回路構成部品やコネクタ等が装着され、裏面側には各種回路構成部品やコネクタ等の端子（ピン）がそれぞれ所定長さだけ突出している。
【００７２】
第１、第２の中継基板用装着凹部３１０、３２０は、第１、第２の中継基板３１８、３２８にそれぞれ対応する周壁部３１１、３２１と底板部３１２、３２２とをそれぞれ備えて後方に開口する凹状に形成されている。
また、第１、第２の中継基板用装着凹部３１０、３２０の後方開口部近傍の少なくとも相対する壁部には、第１、第２の中継基板３１８、３２８の少なくとも相対する端縁部をそれぞれ支承する段差開口部３１３、３２３が形成されている。また、この実施の形態において、第１、第２の中継基板用装着凹部３１０、３２０の後方開口部近傍の四周縁に沿って、第１、第２の中継基板３１８、３２８の外形とそれぞれ略同じ大きさあるいは若干大きい程度に方形に形成された段差開口部３１３、３２３がそれぞれ形成されている。そして、これら段差開口部３１３、３２３には、第１、第２の中継基板３１８、３２８がそれぞれ嵌込まれて装着されるようになっている。
【００７３】
また、第１、第２の中継基板用装着凹部３１０、３２０の各段差開口部３１３、３２３において、その開口端から段差面までの深さ寸法は、第１、第２の中継基板３１８、３２８の基板厚さ寸法とそれぞれ略同じ大きさに形成されている。そして、各段差開口部３１３、３２３の段差面には第１、第２の中継基板３１８、３２８がその各一側面（裏面）が当接した状態でそれぞれ嵌込まれ、これら各第１、第２の中継基板３１８、３２８の他側面（表面）が機構盤２００の後面と略同一面をなすようになっている（図３０参照）。
また、第１、第２の中継基板用装着凹部３１０、３２０の深さ寸法は、その各段差開口部３１３、３２３に、第１、第２の中継基板３１８がそれぞれ個別に嵌込まれた状態において、これら第１、第２の中継基板３１８、３２８裏面の端子が第１、第２の中継基板用装着凹部３１０、３２０の底板部３１２、３２２に当たることがない程度にそれぞれ設定されている。
【００７４】
また、第１、第２の中継基板用装着凹部３１０、３２０の周壁部３１１、３２１の一側壁（図２９に向かって下側壁）の一部には、これら第１、第２の中継基板用装着凹部３１０、３２０に、第１、第２の中継基板３１８、３２８がそれぞれ個別に嵌込まれた状態で第１、第２の中継基板３１８、３２８の一端部をそれぞれ掛け止めして係止する断面鉤形状の係合片３１４、３２４がそれぞれ形成されている。さらに、第１、第２の中継基板用装着凹部３１０、３２０の周壁部他側壁（図２９に向かって上側壁）の一部には、第１、第２の中継基板用装着凹部３１０、３２０に、第１、第２の中継基板３１８、３２８がそれぞれ個別に嵌込まれることで、これら第１、第２の中継基板３１８、３２８の他端部をそれぞれ弾性的に係止する弾性係止片３１５、３２５がそれぞれ形成されている。
【００７５】
すなわち、この実施の形態において、第１、第２の中継基板用装着凹部３１０、３２０に対し第１、第２の中継基板３１８、３２８をそれぞれ装着する場合、まず、第１、第２の中継基板３１８、３２８を斜めにした状態でその各一端部を、係合片３１４、３２４にそれぞれ掛け止めする。その後、係合片３１４、３２４との係合部を支点として第１、第２の中継基板３１８、３２８を段差開口部３１３、３２３の段差面に当接する位置まで押し込むことで、弾性係止片３１５、３２５が第１、第２の中継基板３１８、３２８の他端部にそれぞれ弾性的に係止する。これによって、第１、第２の中継基板用装着凹部３１０、３２０に第１、第２の中継基板３１８、３２８を容易に装着することができる。
【００７６】
また、前記したように、機構盤２００の後面にそれぞれ設けられた基板用装着凹部としての第１、第２の中継基板用装着凹部３１０、３２０は、その段差開口部３１３、３２３の段差深さ寸法が、第１、第２の中継基板３１８、３２８の基板厚さ寸法とそれぞれ略同じ大きさに設定され、第１、第２の中継基板用装着凹部３１０、３２０の深さ寸法は、第１、第２の中継基板３１８、３２８裏面の端子が底面に当たることがない程度にそれぞれ設定されている。
したがって、機構盤２００の後面の第１、第２の中継基板用装着凹部３１０、３２０の各段差開口部３１３、３２３に対し、第１、第２の中継基板３１８、３２８をそれぞれ正確に嵌込んで装着することができる。
【００７７】
また、第１、第２の中継基板用装着凹部３１０、３２０の段差開口部３１３、３２３に、第１、第２の中継基板３１８、３２８が装着されたときには、これら第１、第２の中継基板３１８、３２８の表面が機構盤２００の後面と略同一面をなす。このため、第１、第２の中継基板３１８、３２８を、専用のボックスに収納することなく裸の状態で装着することができるとともに、これら各第１、第２の中継基板３１８、３２８を保護することができる。
また、機構盤２００の後面に凹設した第１、第２の中継基板用装着凹部３１０、３２０によって機構盤２００の強度を高めることができるとともに、その各段差開口部３１３、３２３に対し僅かな隙間をもって第１、第２の中継基板３１８、３２８がそれぞれで嵌込まれて装着されることで、機構盤２００の強度がより一層高められる。
【００７８】
なお、この発明は前記実施の形態に限定するものではない。
例えば、前記実施の形態においては、ボックス用装着部材が機構盤２００である場合を例示したが、例えば、遊技盤１１０の後側に配設されるカバー体（裏カバーとも呼ばれることがある）をボックス用装着部材としもよい。
また、前記実施の形態では遊技機がパチンコ機等の弾球遊技機ある場合を例示したが、パチンコ球を使用してスロットマシン遊技のような遊技を行う遊技機である場合においても実施可能である。
【００７９】
【発明の効果】
以上述べたように、この発明によれば、内枠体の後面の一側寄り部分に上下方向に長尺の１つの金属製補強部材を装着するによって、合成樹脂製の内枠体の後面の一側寄り部分を効率よく補強することができる。
しかも、金属製の補強部材に一体に少なくとも２つのヒンジ部が形成されているため、専用のヒンジ部材を同一ヒンジ中心線上に位置合わせしかつ上下方向にも所定間隔を隔ててビスによって取り付ける手間を省くことができ、ヒンジの取り付けを容易化することができる。
【図面の簡単な説明】
【図１】この発明の実施の形態に係る遊技機の開閉扉を開いた状態を示す遊技機の斜視図である。
【図２】同じく開閉扉を取り外し上皿部材を開いた状態を示す遊技機の斜視図である。
【図３】同じく外枠体に対し内枠体を開いた状態を示す遊技機の斜視図である。
【図４】同じく遊技機全体を示す正面図である。
【図５】同じく遊技機全体を示す側面図である。
【図６】同じく遊技機全体を示す背面図である。
【図７】同じく図６のＶＩＩ−ＶＩＩ線に基づく縦断面図である。
【図８】同じく図６のＶＩＩＩ−ＶＩＩＩ線に基づく底断面図である。
【図９】同じく図６のＩＸ−ＩＸ線に基づく底断面図である。
【図１０】同じく外枠体と内枠体とを分離した状態を示す斜視図である。
【図１１】同じく外枠体の左右の両側枠材と上枠材とが分離された状態を示す斜視図である。
【図１２】同じく内枠体を前側から示す斜視図である。
【図１３】同じく内枠体の正面図である。
【図１４】同じく内枠体を後側から示す斜視図である。
【図１５】同じく内枠体の背面図である。
【図１６】同じく発射装置ユニットを示す斜視図である。
【図１７】同じく内枠体の補強部材を示す斜視図である。
【図１８】同じく内枠体の後側に機構盤を装着した状態を示す斜視図である。
【図１９】同じく施錠装置のロック機構を示す説明図である。
【図２０】図２０の（Ａ）は、施錠装置のロック機構のロック状態を示す説明図、図２０の（Ｂ）はロック解除状態を示す説明図である。
【図２１】同じく機構盤を前側から示す斜視図である。
【図２２】同じく機構盤の正面図である。
【図２３】同じく機構盤を後側から示す斜視図である。
【図２４】同じく機構盤の背面図である。
【図２５】同じくタンクレールの整流部材を拡大して示す背面図である。
【図２６】同じく図２５のＸＸＶＩ−ＸＸＶＩ線に基づく縦断面図である。
【図２７】同じく図２４のＸＸＶＩＩ−ＸＸＶＩＩ線に基づく拡大縦断面図である。
【図２８】同じく図２４のＸＸＶＩＩＩ−ＸＸＶＩＩＩ線に基づく拡大平断面図である。
【図２９】同じく図２４のＸＸＩＸ−ＸＸＩＸ線に基づく拡大縦断面図である。
【図３０】同じく図２４のＸＸＸ−ＸＸＸ線に基づく拡大平断面図である。
【図３１】同じく機構盤を前側から示す斜視図である。
【図３２】同じく機構盤の正面図である。
【図３３】同じく機構盤を後側から示す斜視図である。
【図３４】同じく機構盤の背面図である。
【符号の説明】
１０　外枠体
４０　内枠体
８０　開閉扉
１１０　遊技盤
１０４　遊技盤装着枠部
１１０　遊技盤
１８０　補強部材
１８１　根元部
１８２　側壁部
１８３　上取付片
１８４　機構盤上ヒンジ片
１８５　下取付片
１８７　機構盤下ヒンジ片
１８８　中間取付片
２００　機構盤
【図１】
2004065937.tif 000003
【図２】
2004065937.tif 000004
【図３】
2004065937.tif 000005
【図４】
2004065937.tif 000006
【図５】
2004065937.tif 000007
【図６】
2004065937.tif 000008
【図７】
2004065937.tif 000009
【図８】
2004065937.tif 000010
【図９】
2004065937.tif 000011
【図１０】
2004065937.tif 000012
【図１１】
2004065937.tif 000013
【図１２】
2004065937.tif 000014
【図１３】
2004065937.tif 000015
【図１４】
2004065937.tif 000016
【図１５】
2004065937.tif 000017
【図１６】
2004065937.tif 000018
【図１７】
2004065937.tif 000019
【図１８】
2004065937.tif 000020
【図１９】
2004065937.tif 000021
【図２０】
2004065937.tif 000022
【図２１】
2004065937.tif 000023
【図２２】
2004065937.tif 000024
【図２３】
2004065937.tif 000025
【図２４】
2004065937.tif 000026
【図２５】
2004065937.tif 000027
【図２６】
2004065937.tif 000028
【図２７】
2004065937.tif 000029
【図２８】
2004065937.tif 000030
【図２９】
2004065937.tif 000031
【図３０】
2004065937.tif 000032
【図３１】
2004065937.tif 000033
【図３２】
2004065937.tif 000034
【図３３】
2004065937.tif 000035
【図３４】
2004065937.tif 000036